(57)【要約】【課題】エネルギー消費の少ない方法で、花粉、ダニ、ダニの糞などのアレルゲン性粒子を効率的に衣類から除去する。【解決手段】回転する帯電板１１と正帯電ブラシ１２および負帯電ブラシ１３を接触させることにより、帯電板１１にはプラスに帯電する部位とマイナスに帯電する部位が発生し、確実に帯電したアレルゲン粒子を付着させることができる。また、帯電板１１下部にはポリビニルフェノールが塗付されており、その表面に付着したアレルゲン粒子はそのアレルゲン抗原としての機能を失う。【選択図】図１
2006015032.tif 000002
【特許請求の範囲】
【請求項１】
洗濯後の衣類を乾燥させる乾燥室内もしくは乾燥室と連通した空気の流路内の一部を帯電させて、前記乾燥室内に浮遊する粉塵を付着する帯電装置を備えた衣類乾燥機および衣類乾燥機能付洗濯機。
【請求項２】
帯電装置は、プラスに帯電させる正極帯電装置と、マイナスに帯電させる負極帯電装置を備えた請求項１記載の衣類乾燥機および衣類乾燥機能付洗濯機。
【請求項３】
帯電装置は、帯電系列の異なる物質を摩擦して帯電をおこなうようにした請求項１または２記載の衣類乾燥機および衣類乾燥機能付洗濯機。
【請求項４】
帯電装置によって帯電する部位にアレルゲン性物質を不活性化する不活化材を配設した請求項１〜３のいずれか１項に記載の衣類乾燥機および衣類乾燥機能付洗濯機。
【請求項５】
不活化材としてフェノール性ＯＨ基を有する物質を用いた請求項４記載の衣類乾燥機および衣類乾燥機能付洗濯機。
【請求項６】
不活化材をポリビニルフェノールとした請求項５記載の衣類乾燥機および衣類乾燥機能付洗濯機。
【発明の詳細な説明】
【技術分野】
【０００１】
本発明は、衣類に付着したアレルゲン性物質の除去機能を有する衣類乾燥機および衣類乾燥機能付洗濯機に関するものである。
【背景技術】
【０００２】
近年、ダニやカビに起因する粒子、花粉などが原因となってアレルギー性疾患を引き起こすことが問題となっている。これらのアレルゲン性物質を含む粒子（以下、アレルゲン粒子という）は衣類に付着した後、人体へ接触することが多いことから、衣類からアレルゲン粒子を除去することは、アレルギー性疾患予防に大変有効である。従来、とくにダニを殺す目的で、洗濯機内の衣類を加熱するという提案がなされている（例えば、特許文献１参照）。また、細かい目の糸屑フィルターを用いてダニなどを濾し取る方法（例えば、特許文献２参照）、さらに、衣類を乾燥させるための循環温風中に水を散水させ、浮遊するダニアレルゲンを捕獲除去するという方法も提案されている（例えば、特許文献３参照）。
【特許文献１】特開平２−１６１９９７号公報
【特許文献２】特開平９−２６２３９７号公報
【特許文献３】特開平４−１６１１９６号公報
【発明の開示】
【発明が解決しようとする課題】
【０００３】
熱を用いてダニを殺す方法では、衣類を加熱するのに多大なエネルギーを必要とするとともに、ダニの死骸や糞、花粉などもアレルゲン粒子であり、それらは熱によって失活しない、という問題があった。
【０００４】
また、糸屑フィルターを用いる方法では、ダニを除去できる目開きのフィルターであっても、ダニより小さいダニの糞や花粉を除去するには、さらに目の細かいフィルターを用いなければならず、そのようなフィルターに水を通すことは現実的ではない。
【０００５】
また、循環温風中に水を散水させ、浮遊する粒子を捕獲除去する方法を用いれば、ダニだけではなく、ダニの死骸や糞、花粉などにも有効であるが、乾燥に用いる温風中に水を散水させると言うことは、乾燥の効率を落とすことであり、余計なエネルギーを消費するという問題がある。
【０００６】
このように、従来の方法では、衣類についたアレルゲン粒子の中の生きたダニに対してだけ有効であるか、多大なエネルギーを消費するなどの問題を有していた。
【０００７】
本発明は、上記従来の課題を解決するものであり、エネルギー要求の少ない方法で、さまざまなアレルゲン粒子を衣類から除去できることを目的とする。
【課題を解決するための手段】
【０００８】
本発明は、洗濯後の衣類を乾燥させる乾燥室内もしくは乾燥室と連通した空気の流路内の一部を帯電させて、前記乾燥室内に浮遊する粉塵を静電気の力によって付着する帯電装置を衣類乾燥機および衣類乾燥機能付洗濯機に備えたものである。
【０００９】
温風によって衣類が乾燥してくると、衣類に付着していたダニ、ダニの糞、花粉などが衣類との結合力を失い、風や撹拌の力によって衣類を離れ、舞い上がる。この舞い上がった粒子は、生きたダニであっても花粉であっても、帯電装置によって流路内の帯電した部位に静電気の力で引き寄せられ、そこへ付着していき、アレルゲン粒子は除去されていくのであり、衣類からこれらの粒子が除去されれば、アレルギー疾患（花粉症など）に罹る機会を減らすことができる。
【発明の効果】
【００１０】
本発明の衣類乾燥機および衣類乾燥機能付洗濯機は、多大なエネルギーを必要とせずに、生きたダニだけでなくダニの死骸や糞、花粉も静電気の力で除去することができ、衛生的な衣類乾燥を実現することができる。
【発明を実施するための最良の形態】
【００１１】
第１の発明は、洗濯後の衣類を乾燥させる乾燥室内もしくは乾燥室と連通した空気の流路内の一部を帯電させて、前記乾燥室内に浮遊する粉塵を付着する帯電装置を備えたことにより、帯電装置による静電気の力でアレルゲン粒子を誘引し、帯電した部位に吸着するので、衣類からアレルゲン粒子が除去され、衣類に残るアレルゲン粒子を減らすことができる。
【００１２】
第２の発明は、第１の発明の帯電装置は、プラスに帯電させる正極帯電装置と、マイナスに帯電させる負極帯電装置を備えたことにより、衣類の材質によってアレルゲン粒子がプラスに帯電した場合、アレルゲン粒子は負極帯電装置によって帯電した部位に、アレルゲン粒子がマイナスに帯電した場合、アレルゲン粒子は正極帯電装置によって帯電した部位に誘引され、それぞれ衣類から除去されるので、衣類の種類によってアレルゲンの帯電が正負どちらになっても除去することが可能となり、より確実なアレルゲン除去が実現できるのである。
【００１３】
第３の発明は、第１の発明または第２の発明の帯電装置は、帯電系列の異なる物質を摩擦して帯電をおこなうようにしたことにより、衣類乾燥機や洗濯機には構造上回転する部品が数多くあることから、回転摩擦に転用しやすいので、簡単な構成で帯電装置を実現することが可能であり、安価なアレルゲン除去が実現できるのである。
【００１４】
第４の発明は、第１から３のいずれかの発明の帯電装置によって帯電する部位に、アレルゲン性物質を不活性化する不活化材を配設したことにより、付着したアレルゲン粒子が不活性化されるので、物理的除去だけでなく化学的にも除去されるので、より効率の良いアレルゲン除去が実現できる。
【００１５】
第５の発明は、第４の発明の不活化材として、フェノール性ＯＨ基を有する物質を用いたことにより、効果的にアレルゲン除去が実現できる。
【００１６】
第６の発明は、第５の発明の不活化材をポリビニルフェノールとしたことにより、より安定してアレルゲン除去が実現できる。
【００１７】
以下、本発明の実施の形態について図面を参照しながら説明する。なお、本実施の形態によって本発明が限定されるものではない。
【００１８】
（実施の形態１）
図１および図２は、本発明の第１の実施の形態における、衣類乾燥機能付洗濯機の断面図であり、それぞれ蓋を開けて衣類を出し入れできる状態、および蓋を閉じて洗濯や乾燥動作できる状態を表す。図１において、洗濯機本体１の上部の外蓋２を開けると、内部に乾燥室３がある。この乾燥室３は水を受ける構造をなしており、洗濯中には貯水槽としての働きもある。乾燥室３の上部には内蓋４があり、外蓋２と内蓋４を開けることによって、衣類の出し入れを行う。
【００１９】
乾燥室３の内部には円筒状の洗濯槽５があり、モータユニット６の回転が軸部７に伝えられ、洗濯槽５は回転し、衣類の脱水などができる構造をなしている。また、洗濯槽５底部には撹拌羽根８があり、これもモータユニット６の回転が軸部７に伝えられ、回転し、衣類の撹拌がおこなえる構造となっている。給水口９と送風口１０が乾燥室３の上部に設けられ、それぞれ洗濯槽５の内部に給水し、洗濯槽５内部の衣類を乾燥する。
【００２０】
洗濯槽５の上部にはポリプロピレン樹脂を材質とするドーナッツ状の帯電板１１があり、洗濯槽５とともに回転する。一方、帯電板１１に接する位置で、フッ素樹脂でできた正帯電ブラシ１２とポリアセテート樹脂でできた負帯電ブラシ１３が乾燥室３の上部に備え付けられており、これら帯電板１１と正帯電ブラシ１２と負帯電ブラシ１３によって帯電装置１４を構成している。
【００２１】
洗濯槽５の回転によって、これらの正帯電ブラシ１２と負帯電ブラシ１３が帯電板１１と回転摩擦を起こし、正帯電ブラシ１２に接する帯電板１１付近はプラスに帯電し、負帯電ブラシ１３に接する帯電板１１付近はマイナスに帯電する。また、帯電板１１の両ブラシに接触しない下部側には表面にポリビニルフェノールが塗付されている。
【００２２】
以上のように構成された洗濯機について、以下その動作、作用を説明する。使用者は、図１のように外蓋２と内蓋４を開け、内部に洗剤と汚れた衣類を投入し、それぞれの蓋を閉じ、図２のような状態となる。図示していないスイッチを押すと、まず洗濯行程が始まる。洗濯行程において、給水口９より水が給水され、撹拌羽根８の回転や洗濯槽５の回転により、洗濯や脱水がおこなわれ、所定回数のすすぎをおこなった後、乾燥行程に入る。
【００２３】
乾燥行程では、図示していないヒータと送風ファンによって送風口１０から温風が吹き出し、洗濯槽５内部のぬれた衣類を乾燥する。このとき、撹拌羽根８や洗濯槽５は所定の回転動作を繰り返し、衣類を撹拌しながら効率的に乾燥をおこなう。衣類が乾燥するに従い、衣類に付着していた花粉やダニやダニの糞などのアレルゲン粒子で、洗濯すすぎのあいだに排水によって排出されず残留していた粒子が舞い上がり始める。これらアレルゲン粒子は乾燥度合が増してくると静電気を帯び始める。
【００２４】
一方で、帯電板１１も正帯電ブラシ１２と負帯電ブラシ１３との摩擦により帯電し始める。帯電板１１はポリプロピレン樹脂であり、フッ素樹脂でできた正帯電ブラシ１２と接触すれば、両者の帯電系列の違いから、帯電板１１はプラスに帯電する。また、ポリアセテート樹脂でできた負帯電ブラシ１３と接触しているポリプロピレン樹脂の帯電板１１は帯電系列の違いからマイナスに帯電するのである。本発明ではこれらの樹脂の材質、帯電板の位置を限定するものではなく、帯電系列が異なる樹脂を接触させ、プラスに帯電する場所、マイナスに帯電する場所を設けることが本発明の要である。
【００２５】
アレルゲン粒子がプラスに帯電していれば、負帯電ブラシ１３と接触する付近の帯電板１１下部がプラスに帯電しているので、そこへ引き寄せられ付着する。また、アレルゲン粒子がマイナスに帯電していれば、正帯電ブラシ１２と接触する付近の帯電板１１下部がマイナスに帯電しているので、そこへ引き寄せられ付着する。アレルゲン粒子は一般にプラスに帯電することが多いが、乾燥させる衣類の種類によっては、マイナスに帯電する場合もあり、両極とも帯電する構成のほうがより確実な手段である。
【００２６】
帯電板１１に引き寄せられ付着したアレルゲン粒子は、帯電板１１の表面に塗付されたポリビニルフェノールのＯＨ基によって変性し、そのアレルゲン抗原体としての機能を失い、不活性化する。よって、付着したアレルゲン粒子が再脱着し、衣類に戻っても問題が少ない。帯電板１１下部に付着したアレルゲン粒子は、その後水洗いして排水するか、次回の洗濯時に水洗いされ排水される。
【００２７】
このようにして、衣類から舞い上がったアレルゲン粒子は次々に帯電板１１に付着、不活性化していく。乾燥が終了したあとの衣類にはアレルゲン粒子の数は激減しており、アレルギーなどの心配の少ない衣類の洗濯乾燥が実現できるのである。
【００２８】
なお、本実施の形態では乾燥機能付洗濯機について説明したが、洗濯機ではない衣類乾燥機についても基本的に同じ構成で、回転する帯電板に帯電系列の異なるブラシを回転接触させると同じ効果を期待できる。また、帯電板を固定し、ブラシを回転させる構成でも同じ効果が得られる。
【産業上の利用可能性】
【００２９】
本実施の形態に挙げたような洗濯機以外に、布団乾燥機等のアレルゲン粒子除去にも応用が可能である。
【図面の簡単な説明】
【００３０】
【図１】本発明の実施の形態１における衣類乾燥機能付洗濯機の断面図
【図２】同衣類乾燥機能付洗濯機の蓋を閉じた状態の断面図
【符号の説明】
【００３１】
１１  帯電板
１２  正帯電ブラシ
１３  負帯電ブラシ
１４  帯電装置
【図１】
2006015032.tif 000003
【図２】
2006015032.tif 000004